(57)【要約】【課題】            商品の入ったカゴを一々カートからカウンターへ移し、再び乗せる作業が必要なことであり、カートを迂回させなければならないこと、即ち、カートがそのままカウンター前あるいは横を通行することができないという点である。【解決手段】        スキャナー台はカウンターテーブルの一部が分離され、その分離された部分が突出及び収容されることとし、前記した分離された部分はカゴ等の置きテーブルとして使用され、スライドあるいは回動もしくは枢動の手段によってカートの通行スペースを確保するため前記したカウンターテーブルの下面もしくは上面に収容されることとし、前記したスキャナー台におけるスキャナー装置にはカートに乗せられたカゴ内に商品を入れたまま作業できるハンディスキャナーが備えられていることとする。【選択図】          図１
2005209089.tif 000002
【特許請求の範囲】
【請求項１】
カウンターテーブルの一部が分離され、その分離された部分が突出及び収容されることを特徴とするスキャナー台。
【請求項２】
前記した分離された部分はカゴ等の置きテーブルとして使用され、スライドあるいは回動もしくは枢動の手段によってカートの通行スペースを確保するため前記したカウンターテーブルの下面もしくは上面に収容されることを特徴とする請求項１に記載のスキャナー台。
【請求項３】
前記したスキャナー台におけるスキャナー装置にはカートに乗せられたカゴ内に商品を入れたまま作業できるハンディスキャナーが備えられていることを特徴とする請求項１または請求項２に記載のスキャナー台。
【発明の詳細な説明】
【技術分野】
【０００１】
本発明はスキャナー台、特にスーパーマーケット、量販店等客が各自で欲しい商品を棚等から取り、カゴやカート等に入れてレジカウンターまで運び料金を精算するシステムにおける前記レジカウンターに付設されるスキャナー台の改良に関する。
【背景技術】
【０００２】
一般的にスーパーマーケットや量販店等にあっては各々の商品にその内容や価格等の情報を保持させたバーコード等が付けられており、客は各自に商品をカゴや、多くの場合にはカゴを乗せたカート等に取ってレジカウンターまで運び商品の料金を一括して精算するシステムとなっている。
【０００３】
このスキャナー台はカゴや商品等を置くことができるカウンターテーブルを有しており、そのカウンターテーブルの一部にスキャナー装置が設けられている。このスキャナー装置には商品に付されたバーコード等を読み取る読み取り部と店員側、客側から各々目視確認できる価格の表示部、及びバーコード等を良好に読み取ることができなかったり、同一商品を複数購入した際の乗算を行なったりするためのキーボード等が備えられている。また、前記した読み取り部には固定タイプのものと、コードや無線で継なげられたハンドタイプのものがある。
【０００４】
また、近時は一時に大量の商品を購入する場合も多いが、かかる場合には手提げのカゴをカートに乗せ、そのカゴに商品を入れて運搬することが行なわれている。こうしてカートを用いてレジカウンターへ運んだ場合、商品が満載されたカゴを持ち上げてカウンター上へ置き、一商品づつバーコード等を読み取ったものを空のカゴへ移していき、精算後に再び商品を移行した満載のカゴをカートに乗せて駐車場や駐輪場まで運搬していく作業が行なわれていた。その際、カートはレジカウンター部分を迂回させて向こう側へ移動させておく必要がある。
【０００５】
しかしながら、上記した商品満載のカゴをカウンターに移し、再びカートに載せる作業は非常に力が必要とされるもので非力な者にとっては過酷なものとなっている。また、カートを迂回させる作業も一人の場合は非常に面倒でレジが混雑している場合等は他人の迷惑となることすらあった。
【特許文献１】本発明に関して出願人側で先行技術を調査したが格別に類似すると思われる文献は発見できなかった。
【発明の開示】
【発明が解決しようとする課題】
【０００６】
本発明が解決しようとする問題点は、商品の入ったカゴを一々カートからカウンターへ移し、再び乗せる作業が必要なことであり、カートを迂回させなければならないこと、即ち、カートがそのままカウンター前あるいは横を通行することができないという点である。
【課題を解決するための手段】
【０００７】
この問題点を解決するために、本発明に係るスキャナー台はカウンターテーブルの一部が分離され、その分離された部分が突出及び収容されることを特徴とし、前記した分離された部分はカゴ等の置きテーブルとして使用され、スライドあるいは回動もしくは枢動の手段によってカートの通行スペースを確保するため前記したカウンターテーブルの下面もしくは上面に収容されることを特徴とし、前記したスキャナー台におけるスキャナー装置にはカートに乗せられたカゴ内に商品を入れたまま作業できるハンディスキャナーが備えられていることを特徴としている。
【発明の効果】
【０００８】
上記した構成としたことにより、必要に応じてカウンターテーブルの分離された部分を収容してしまうことで、商品を入れたカゴを乗せた状態のカートはそのまま通行することができることとなり、一々カウンターにカゴを移し、再びカートに乗せる力作業を行なわなくて済むことになる。
【０００９】
また、コードが延びるハンディスキャナーや無線対応のハンディスキャナーを備えていると店員側はそのスキャナーをカートに乗せられたカゴ内に入れ、読み取り作業を行なうことができる。これはバーコードに対しても実施可能で、しかも現在実用化されつつあるＩＣタグを用いた商品であればさらに作業は簡易で確実となる。
【発明を実施するための最良の形態】
【００１０】
使い勝手がよく、コンパクトなものとできスムーズに操作ができるものとして実施例として示す図面のように構成することで実現した。
【実施例１】
【００１１】
次に、本発明の好ましい実施の一例を図面を参照して説明する。図１は本発明を実施したスキャナー台を示す斜視図、図２は同じく別の角度から見た斜視図、図３は同じく正面図、図４は同じく平面図、図５は同じく背面図、図６は同じくカウンターテーブルの一部を収容した状態を示す正面図、図７は同じく側面図、図８は同じく平面図である。
【００１２】
これらの図にあって１はカウンタ−テーブルを示しており、このカウンターテーブル１は支持壁２を介して据え台３上に固定されている。また、支持壁２の下方寄りにはステンレス製のバンパー４が設けられている。
【００１３】
また、カウンターテーブル１上の一部にはスキャナー装置５が立設固定状態で設けられている。このスキャナー装置５には固定タイプで商品のバーコード等を対向させて読み取るスキャナー部６とコードで継ながれたハンディスキャナー７とが具備されており、読み取った内容として価格等が店員側へ表示される表示部８及び客側へ表示される表示部９及び良好にバーコード等を読み取れなかったり、同一商品を複数購入した際の乗算等を行なうキーボード部１０が備えられている。尚、１１はスキャナー装置５を衝撃から防護するバンパーである。
【００１４】
さらに、本実施例にあってはカウンターテーブル１よりやや下方位置にカウンターテーブル１とは分離されて接続されたスライドテーブル１２が備えられている。１３はこのスライドテーブル１２をスライド作動させるためのレバーを示している。このスライドはガイドレール等によって方向性を定められてなされるが、突出あるいは収納位置におけるロック位置決め機構は格別には必要としない。
【００１５】
このスライドテーブル１２は通常は図３、図４に示されるように突出されており購入された商品が入れられたカゴ１４の置きテ−ブルとして使用され、そのカゴ１４から順次店員が商品を取り出しスキャナー６・７によってバーコード等の読み込みをさせ、カウンターテーブル１上に置かれた空カゴ１５へ商品を移行させていく作業がなされる。
【００１６】
また、このスライドテーブル１２をスライドさせて収容してしまうことでカートの通行路としてのスペースが確保できることとなる。カートからカゴをおろさずに通行する場合、店員はハンディスキャナー７を持ってカートに乗せられたカゴ内に挿入し、逐次読み取り作業を行なうことができ、カートからカゴないしは商品をおろさずそのままの状態で精算し、客は駐車場等へと向かうことが可能となる。
【００１７】
さらに、本実施例にあっては、スライドテーブル１２はカウンターテーブル１の下面側へスライド収容されるものとしてあるが、これに限らず上面側へのスライドでもよく、ヒンジやスプリング等を用いた折り畳み式の枢動により通路を確保したり、カウンターテーブル１と縦方向の軸で連結して水平方向へ円運動させる回動作業で収納し、通路を確保するようにすること等もできる。
【産業上の利用可能性】
【００１８】
本発明に係るスキャナー台は上述のように構成されている。そのため、係る構成はスキャナー台に限らず、場合に応じて通路を遮断したり解放したりする装置やシステムにも応用でき、屋内に限らず実施することも可能なものとされる。
【図面の簡単な説明】
【００１９】
【図１】本発明を実施したスキャナー台を示す斜視図である。
【図２】別の角度から見た斜視図である。
【図３】正面図である。
【図４】平面図である。
【図５】背面図である。
【図６】カウンターテーブルの一部を収容した状態を示す正面図である。
【図７】側面図である。
【図８】平面図である。
【符号の説明】
【００２０】
１    カウンターテーブル
２    支持壁
３    据え台
４    バンパー
５    スキャナー装置
６    スキャナー部
７    ハンディスキャナー
８    表示部
９    表示部
１０  キーボード部
１１  バンパー
１２  スライドテーブル
１３  レバー
１４  カゴ
１５  空カゴ
【図１】
2005209089.tif 000003
【図２】
2005209089.tif 000004
【図３】
2005209089.tif 000005
【図４】
2005209089.tif 000006
【図５】
2005209089.tif 000007
【図６】
2005209089.tif 000008
【図７】
2005209089.tif 000009
【図８】
2005209089.tif 000010